(57)【要約】【課題】手提げ用のハンドルを機器の外観を構成する筐体に取り付けるポータブル機器において、筐体及び手提げ用ハンドルの破損を防止すること。【解決手段】ポータブル機器としてのプリンタは、外観を構成する筐体の左右側壁に形成された軸受部によって軸支される手提げ用のハンドル６を備えている。筐体を構成するサイドハウジング左１１にはプレート１２が着脱自在に取り付けられ、ハンドル６の軸部６ｂを軸支する軸受部２２は、プレート１２に形成された穴１２ｂを貫通する様に外側に突出するフランジ形状を成している。従ってこれにより、プリンタの自重が作用する軸受部２２と軸部６ｂとの間において荷重が分散されることから応力集中が起きないとともに、軸受部２２のフランジ形状はプレート１２によっても支持されるので、より一層強度が向上する。【選択図】図１１
2010012792.tif 000002
【特許請求の範囲】
【請求項１】
機器の外観を構成する筐体の左右側壁に形成された軸受部によって軸支される手提げ用のハンドルを備えたポータブル機器であって、
前記筐体の左右側壁に固定され、前記筐体の左右側壁の全体を覆うように取り付けられたプレート板と、
前記プレート板に形成された穴とを備え、
前記軸受部が、前記筐体の側壁から前記穴に嵌合して外側に突出する、フランジ形状を成していることを特徴とするポータブル機器。
【請求項２】
前記筐体の左右側壁の下端は、前記筐体の内側へ湾曲する形状をしていることと、
前記プレート板の下端が、前記湾曲する形状に沿うように、同じく湾曲する形状をしていることを特徴とする請求項１に記載のポータブル機器。
【請求項３】
前記ハンドルが、前記軸受部に回動可能に軸支されている請求項１又は２に記載のポータブル機器であって、
前記ハンドルの先端部に設けられた、前記軸受部を通過して前記筐体の側壁の内部に突出する軸部と、
前記軸部に設けられた、前記先端部が延びる方向と反対方向に突出する突起と、
前記筐体の側壁に設けられた、前記突起が嵌まる穴である凹部を備え、
前記ハンドルが、回動してほぼ垂直に立った状態の時に、当該回動に伴って回動する前記突起が前記凹部に嵌まり前記ハンドルが固定される、ことを特徴とするポータブル機器。
【発明の詳細な説明】
【技術分野】
【０００１】
本発明は、機器の外観を構成する筐体の左右側壁に形成された軸受部によって軸支される手提げ用のハンドルを備えたポータブル機器に関し、更にその中でも被記録媒体に記録を行う記録装置と、液体噴射装置に関する。
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００２】
設置場所をかえて使用されるポータブル機器には、持ち運びの際のユーザーの便宜を考慮して、手提げ用のハンドルが設けられたものがある（例えば、特許文献１参照）。このハンドルは、一般的にコの字形の形状を成し、装置本体の外観を構成する筐体（本体ケース）の両側壁に形成された軸受部に回動自在に軸支されて、取り付けられている。
【先行技術文献】
【特許文献】
【０００３】
【特許文献１】特開平７−１８６４９１号公報
【発明の概要】
【発明が解決しようとする課題】
【０００４】
しかし、上述のように筐体に手提げ用のハンドルを軸支させるポータブル機器においては、ハンドルを把持することによって機器本体を持ち上げると、機器の自重は前記軸受部に集中することから、持ち運びの際に前記軸受部に荷重が集中して筐体が破損したり、手提げ用ハンドルが破損したりする虞があった。
そこで本発明はこの様な問題に鑑みなされたものであり、その課題は、手提げ用のハンドルを機器の外観を構成する筐体に取り付けるポータブル機器において、筐体及び手提げ用ハンドルの破損を防止することにある。
【課題を解決するための手段】
【０００５】
上記課題を解決する為に、本発明の第１の態様は、機器の外観を構成する筐体の左右側壁に形成された軸受部によって軸支される手提げ用のハンドルを備えたポータブル機器であって、前記筐体の左右側壁にプレート板が取り付けられ、前記軸受部が、前記筐体の側壁から、前記プレート板に形成された穴を貫通する様に外側に突出するフランジ形状を成していることを特徴とする。
【０００６】
上記態様によれば、機器の外観を構成する筐体の左右側壁に形成された軸受部によって軸支される手提げ用のハンドルを備えたポータブル機器は、前記筐体の左右側壁にプレート板を備え、前記軸受部が、前記筐体の側壁から、前記プレート板に形成された穴を貫通する様に外側に突出するフランジ形状を成していることから、前記ハンドルを把持して機器を持ち運ぶ際に、前記フランジ形状によって前記ハンドルが前記軸受部から受ける荷重が分散される。従って応力集中が起きず、前記ハンドル及び、前記軸受部の破損を防止することができるとともに、前記フランジ形状は前記プレート板によってサポートされるので、前記フランジ形状に荷重が加わっても当該荷重の一部を前記プレート板が担うことになり、前記軸受部の強度がより一層向上して破損等の発生を防止することができる。
【０００７】
本発明の第２の態様は、上記第１の態様において、前記筐体が、前記機器本体を載設する下部ハウジングと、当該下部ハウジングの上部に設けられる上部ハウジングと、前記下部ハウジング及び前記上部ハウジングの両側に設けられる、キャップ形状をなすサイドハウジングと、を備え、前記下部ハウジング及び前記上部ハウジングにより構成される本体部に、前記サイドハウジングが、前記本体部の両側部を覆う様にして取り付けられるとともに、前記軸受部が、前記サイドハウジングに形成されていることを特徴とする。
【０００８】
上記態様によれば、前記機器の外観を構成する前記筐体は、下部ハウジングと、該下部ハウジングの上部に設けられる上部ハウジングとによって本体部が形成され、キャップ形状をなすサイドハウジングが、前記本体部の両側部を覆う様にして取り付けられることによってなされているので、前記本体体はその両側部が前記サイドハウジングによってキャップされる様に覆われたことにより、前記下部ハウジングと前記上部ハウジングとの結合状態が強固に保持され、外部から衝撃を受けた際や落下等に際しても前記下部ハウジングと前記上部ハウジングとが分離せず、機器の外観を構成する筐体の機械的強度を飛躍的に向上させることができる。そして、この様な構成において前記手提げ用のハンドルは、前記サイドハウジングに形成された軸受部によって軸支されるので、前記ハンドルによって機器を持ち運ぶ際にも前記上部ハウジングと前記下部ハウジングとが分離することがなく、運搬の際の安全性が向上する。
【０００９】
本発明の第３の態様は、上記第２の態様において、前記サイドハウジングの上部に開口部が形成されるとともに、当該開口部にメモリカードを挿入するスロットが配置され、前記サイドハウジングが、当該サイドハウジングに設けられる突起と、前記本体部に設けられ、前記突起が挿入される穴部とによって構成された嵌合部によって前記筒状体に取り付けられるとともに、少なくとも１箇所の前記嵌合部が前記開口部近傍に配置されていることを特徴とする。
【００１０】
上記態様によれば、前記サイドハウジングの上部に開口部が形成されるとともに、当該開口部にメモリカードを挿入するスロットが配置されているので、ユーザが前記機器を持ち上げる際に、上記開口部の周縁に指を掛けて持ち上げられて、ひいては前記開口部の周縁が破損する虞があるが、上記開口部近傍には上記嵌合部が配置されているので、これによって上記開口部近傍の強度が向上し、上述の様な破損の発生を防止することができる。
【００１１】
本発明の第４の態様は、上記第１から第３の態様のいずれかにおいて、前記プレート板が、スナップ嵌め構造によって前記筐体に着脱自在に取り付けられていることを特徴とする。
上記態様によれば、前記プレート板が、スナップ嵌め構造によって前記筐体に着脱自在に取り付けられていることから、前記プレート板を交換することによって前記機器の外観を容易に変化させることが可能となり、ユーザフレンドリとなる。
【００１２】
本発明の第５の態様は、上記第１から第４の態様のいずれかにおいて、前記ポータブル機器が、被記録媒体に記録を行う記録装置であることを特徴とする。
上記態様によれば、被記録媒体に記録を行う記録装置において、上述した第１から第４の態様と同様な作用効果を得ることができる。
【００１３】
本発明の第６の態様は、上記第１から第４の態様のいずれかにおいて、前記ポータブル機器が、被噴射媒体に液体噴射を行う液体噴射装置であることを特徴とする。
上記態様によれば、被噴射媒体に液体噴射を行う液体噴射装置において、上述した第１から第４の態様と同様な作用効果を得ることができる。
【図面の簡単な説明】
【００１４】
【図１】本発明に係るプリンタの外観斜視図。
【図２】外観を構成する筐体を分解した状態を示す分解斜視図。
【図３】スタッカの取付部の斜視図。
【図４】スタッカを保持する手段の斜視図。
【図５】スタッカの斜視図。
【図６】カードスロットを覆うカバーの取付部の斜視図。
【図７】カバー開放時の衝撃防止手段の斜視図。
【図８】サイドハウジング左と上部ハウジングとの結合手段の斜視図。
【図９】サイドハウジング左と上部ハウジングとの結合手段の斜視図。
【図１０】サイドハウジング右と上部ハウジングとの結合手段の斜視図。
【図１１】サイドハウジング左、プレート、ハンドルの分解斜視図。
【図１２】軸受部の断面図。
【図１３】（Ａ）は軸部の斜視図、（Ｂ）は軸部を挿入する穴の斜視図。
【図１４】サイドハウジング左を裏から見た斜視図。
【図１５】インタフェース部の斜視図。
【発明を実施するための形態】
【００１５】
以下、図１乃至図１５を参照しながら本発明の実施の形態について説明する。ここで、図１は本発明に係る「ポータブル機器」、「記録装置」、「液体噴射装置」の一例としてのインクジェットプリンタ（以下「プリンタ」と言う）１の外観斜視図、図２は外観を構成する筐体を分解した状態を示す分解斜視図、図３はスタッカ１３の取付部の斜視図、図４はスタッカ１３を保持する手段の斜視図、図５はスタッカ１３の斜視図、図６（Ａ）はカバー１４の取付部の斜視図、（Ｂ）はカバー１４の部分拡大斜視図、図７（Ａ）はカバー１４開放時の衝撃防止手段の斜視図、（Ｂ）は同拡大斜視図である。また、図８及び図９はサイドハウジング左と上部ハウジング７との結合手段の斜視図、図１０はサイドハウジング右と上部ハウジング７との結合手段の斜視図、図１１はサイドハウジング左１１、プレート１２、ハンドル６の分解斜視図、図１２は軸受部２２近傍の断面図、図１３（Ａ）は軸部６ｂの斜視図、図１３（Ｂ）は穴１１ｅの斜視図、図１４はサイドハウジング左１１を裏から見た斜視図、図１５（Ａ）、（Ｂ）はインタフェース部２６の斜視図である。
【００１６】
先ず、図１及び図２を参照しながらプリンタ１の構成について概説する。プリンタ１は、「被記録媒体」、「被噴射媒体」の一例としての、比較的サイズの小さいハガキ、Ｌ判サイズ等の記録用紙への記録に適した小型サイズに構成されたものである。
このプリンタ１はＡ４サイズの記録に好適であるインクジェットプリンタと同様に、装置後部に記録用紙を傾斜姿勢で複数枚セット可能な給送装置（ＡＳＦ）２を、装置中程に主走査方向に往復動可能に設けられる、記録ヘッド（図示せず）を備えたキャリッジ（図示せず）を、装置前部には記録の行われた記録用紙をスタックするスタッカ１３を備えている。スタッカ１３は、非使用時には図示する様に略垂直に立設された収納状態となり、使用時には、プリンタ前方側に開いて記録用紙をスタック可能な使用状態となる（図示せず）。
【００１７】
装置上面中央には電源ボタン、印刷設定ボタン等によって構成された操作部５と、印刷設定内容や現在の動作ステータス等を表示する表示部４が配置され、プリンタ前面において右側上部には、画像データ等が記憶された半導体メモリ媒体（メモリカード）を挿脱可能なカードスロット１６（図２参照）が設けられるとともに、これを覆う開閉自在なカバー１４が設けられている。即ち、プリンタ１は、外部のホスト・コンピュータと接続して印刷データを受信するのみならず、画像データを記憶したメモリカードから直接画像データを読み込み、そして印刷用のデータを生成して自ら印刷実行可能に構成されている。
【００１８】
次に、プリンタ１の外観を構成する筐体（ハウジング）は、図２に示す様に複数の部材によって構成される。装置本体は下部ハウジング８に載設され、装置本体上部には上部ハウジング７が取り付けられる。そして下部ハウジング８と上部ハウジング７とで構成された本体部に、キャップ形状を成すサイドハウジング右９とサイドハウジング左１１とが左右からキャップする様に装着され、そしてこれらの側面には、本実施形態においては化粧板としての機能を果たすプレート１０、１２が着脱自在に取り付けられる。
【００１９】
更に、サイドハウジング右９とサイドハウジング左１１とにはハンドル６が回動自在に取り付けられ（詳細は後述）、これによって持ち運びの際にハンドル６を把持することでプリンタ１を容易に運搬することが可能となっている。尚、下部ハウジング８と上部ハウジング７とによって上下に分割された構成を採る本体部をハンドル６によって支持する場合でも、上述の様にサイドハウジング右９とサイドハウジング左１１とで左右からキャップする様な構成であることから、ハンドル６を把持して運搬する際にも本体部が上下に分離する様なこともなく、運搬の際の安全性（即ちハウジングの機械的強度）が向上している。
【００２０】
次に、スタッカ１３の取付構造について説明する。図３に示す様に、下部ハウジング８の前方側には、下部ハウジング８から略垂直に且つプリンタ１の前面に対して平行に立ち上がる様なガイド板２０が形成されていて、ガイド板２０の両側端部には、ガイド板２０と略直交する様に下部ハウジング８から上方に延び、且つプリンタ１前方側に突出する様なリブ１８、１９が形成されている。
【００２１】
リブ１８、１９の上端には、リブ１８、１９が延びる方向にスリットが形成されていて、これによってそれぞれに弾性変形部１８ａ、１９ａが形成され、それぞれがスタッカ１３の側面に対して近接離間する方向に弾性変形可能となっているとともに、弾性変形部１８ａ、１９ａにおいて内側（スタッカ１３に望む側）には、係止突起１８ｂ、１９ｂが形成されている。
【００２２】
一方、スタッカ１３は回動軸となる突起１３ｂ（図５参照）が、リブ１８、１９の下部に形成された軸受部１８ｃ、１９ｃに嵌入することで回動自在に取り付けられ、回動することで図３に示す様に手前側に開いた使用状態と、略垂直に立設された収納状態とを切り換える。このスタッカ１３の両側壁には係止穴１３ａが形成されていて（図３〜図５では一方側のみ図示）、スタッカ１３が収納状態となると、図４に示す様に弾性変形部１８ａが弾性変形することで係止突起１８ｂが係止穴１３ａに嵌入し、これによってスタッカ１３が収納状態に保持される。
【００２３】
ここで、リブ１８、１９はスタッカ１３の回動支点（基端側）である軸受部１８ｃ、１９ｃから上方に延びるリブ形状を成していることから、弾性変形部１８ａ、１９ａを形成するスリット長さの自由度が向上し、これによってスタッカ１３を保持する保持力の調整が容易となっている。加えて、スタッカ１３を保持する手段を小さいスペースで設置することが可能となっている。
【００２４】
尚、スタッカ１３においては、図５に示す様にその先端部に排出方向に延びるリブ１３ｄが用紙幅方向に局在する様に形成されている。これは、スタッカ１３の先端部には樹脂成形時のひけ防止の為に空洞部１３ｃが形成されていることから、排出される記録用紙先端の、前記空洞部１３ｃへの入り込みを防止する為であり、従ってリブ１３ｄは、記録用紙がスタッカ１３の用紙支持面から離れて上方へ向かうように形成されている。
【００２５】
続いて、カバー１４を開放する際の衝撃を防止する手段について説明する。図１及び図２に示すように、カードスロット１６を覆うカバー１４は上下に長い形状を成していて、プリンタ１の前面右側の外観を形成する。カバー１４が取り付けられるサイドハウジング右９の前面底部には、図６（Ａ）に示すように軸受部９ｅ、９ｆによって回動軸１５が軸支され、該回動軸１５に、カバー１４の下部に形成された把持部１４ａ、１４ｂがスナップ嵌め式に嵌合し、これによってカバー１４はプリンタ１の底部近傍を回動支点として回動可能に取り付けられる。
【００２６】
ここで、把持部１４ａの側面には図６（Ｂ）に示すように突起１４ｃが形成されていて、当該突起１４ｃは、カバー１４が取り付けられた際に図７（Ａ）、（Ｂ）に示す様に軸受部９ｆに円弧状に形成された溝１７に入り込み、カバー１４の回動動作に伴って突起１４ｃが溝１７の内部を変位する様になっている。この溝１７の内部には凸部１７ａが形成されていて、突起１４ｃが、カバー１４の回動動作に伴って符号１４ｃ’で示す位置（カバー１４がカードスロット１６を覆う状態における、突起１４ｃの位置）から、符号１４ｃ”で示す位置（カバー１４がカードスロット１６を開放する状態における、突起１４ｃの位置）に移動する際に、突起１７ａと係合してカバー１４の回動速度を緩和する様になっている。
【００２７】
即ち、カバー１４は上下に長い形状を成し、その下部を回動支点として回動するので、装置手前に開く際に大きな衝撃が加わる可能性があるが、この様な衝撃緩衝手段によって、衝突音や破損等の発生を防止できる様になっている。
尚、カバー１４には図示しない金属片が設けられ、一方でサイドハウジング右９の側には前記金属片に対応する位置に、図示しない磁石が、図示しない取付用舌片を利用して熱カシメによって、容易に脱落しない様に強固に取り付けられている。従ってカバー１４は前記磁石が前記金属片を吸着することによって、閉じた状態が保持される様になっている。
【００２８】
続いて、上部ハウジング７、下部ハウジング８、サイドハウジング右９、サイドハウジング左１１の結合構造及び、ハンドル６の取付構造について説明する。
【００２９】
上述したように、プリンタ１の外観を構成する筐体は上部ハウジング７と下部ハウジング８とによって構成された本体部に、サイドハウジング右９とサイドハウジング左１１とがキャップする様な構成により、機械的強度の向上が図られているが、サイドハウジング右９とサイドハウジング左１１とは、スナップ嵌め式構造等による簡単な取付構造によって取り付けられる様になっている。
【００３０】
図８及び図９はサイドハウジング左１１の、上部ハウジング７及び下部ハウジング８への取付構造を示すものであり、図８に示す様に上部ハウジング７の上面には穴７ａ、７ｂが形成されていて、一方でサイドハウジング左１１の側には、穴７ａ、７ｂの位置に対応する様に突起１１ａ、１１ｂがそれぞれ形成され、突起１１ａが穴７ａに、突起１１ｂが穴７ｂに嵌入する様になっている。また、下部ハウジング８の底面には図９に示す様に穴８ｂが形成され、一方でサイドハウジング左１１の側には、穴８ｂの位置に対応する様に突起１１ｃが形成され、突起１１ｃが穴８ｂにスナップ嵌め式に嵌入する様になっている。以上により、簡単な取付構造で、容易に筐体の組立が可能となっている。
【００３１】
尚、上記ではサイドハウジング左１１の側を説明したが、サイドハウジング右９の、上部ハウジング７及び下部ハウジング８への取付構造も同様である。また、図１０に示すようにサイドハウジング右９にはカードスロット１６の位置に開口部９ｄが形成されている為、ユーザによって開口部９ｄの周縁９ｇ（自由端側）に指を掛けて上方に持ち上げられ、ひいては開口部９ｄの周縁９ｇが破損する虞がある。そこで、本実施形態では当該開口部９ｄの近傍に、突起９ａと穴７ｃとから構成される嵌合部を配置することで、開口部９ｄの周縁９ｇの破損を防止している。尚、符号２３は穴９ｈを介してねじ孔７ｅに螺嵌される取付ねじを示しており、当該取付ねじによってサイドハウジング右９（サイドハウジング左１１も同様に）が上部ハウジング７に確実に固定される様になっている。
【００３２】
次に、ハンドル６の取付構造について説明する。図１１に示す様に、ハンドル６は略コの字形の形状を成し、両端部において内部に突出する軸部６ａ、６ｂが、サイドハウジング右９とサイドハウジング左１１とに回動可能に軸支される様になっている。尚、以下ではサイドハウジング左１１の側を説明するが、サイドハウジング右９も同様に構成されている。
【００３３】
図１１において、サイドハウジング左１１に対してスナップ嵌め式に着脱自在に取り付けられるプレート１２には、軸部６ｂを挿通させる穴１２ａが形成され、サイドハウジング左１１には、軸部６ｂを挿通させる穴１１ｅが形成されるとともに、軸部６ｂを軸支する軸受部２２が形成されている。この軸受部２２は、図１２に示す様にプレート１２に形成された穴１２ａを貫通する様に外側に突出するフランジ形状を成し、その突出したフランジ形状が穴１２ａにちょうど嵌合する様になっている。
【００３４】
軸部６ｂと穴１１ｅの形状についてより詳しく説明すると、軸部６ｂは、図１３（Ａ）に示すように軸線方向と直交する方向に突出する様な係止突起６ｃ、６ｄが形成されるとともに、係止突起６ｅには、軸部６ｂの延びる方向とは反対側に突出する様な突起６ｅが形成されている。一方で、穴１１ｅは、図１３（Ｂ）に示す様に上述の様な形状を成す軸部６ｂがちょうど嵌合するような形状をなし、軸部６ｂが一旦穴１１ｅに挿入されると、図１４に示す様にハンドル６がある所定の角度にある状態以外では、係止突起６ｃ、６ｄが穴１１ｅの周縁に係止することで、穴１１ｅから抜け落ちない様になっている。尚、図１３（Ｂ）はサイドハウジング左１１の内側から穴１１ｅを見た図であり、軸部６ｂは、紙面裏側から表側に向かって挿入される。
【００３５】
また、穴１１ｅの近傍には凹部１１ｆが形成されている。凹部１１ｆは、軸部６ｂに形成された突起６ｅが嵌入する穴であり、図１４（Ａ）に示すように突起６ｅが凹部１１ｆに嵌入することで、ハンドル６の回動動作が規制されてハンドル６がプリンタ１本体に対して固定された状態となる（本実施形態では、ハンドル６がほぼ垂直に立った状態に固定される）。従ってこれにより、ハンドル６を把持してプリンタ１を持ち上げた場合でも、プリンタ１が不安定に揺動することがなく、安定して運搬できるとともに、プリンタ１の姿勢が傾くことによって発生する、インクの流出等の不具合を防止することができる。尚、符号１１ｇはハンドル６の回動動作の際に突起６ｅを案内するガイド溝であり、当該ガイド溝１１ｇによって、ハンドル６が軽快に回動操作可能な範囲が規定される様になっている。
【００３６】
以上のように構成されたハンドル６の取付構造によって、以下の様な作用効果を得ることができる。即ち、ハンドル６を把持することによりプリンタ１が持ち上げられると、プリンタ１の自重は軸受部２２に集中することから、持ち運びの際に軸受部２２が破損したり、或いはハンドル６側の軸部６ｂが破損したりする虞がある。しかし、上述の様な構成によれば、上記フランジ形状によってハンドル６と軸受部２２との間の接触面積が増加し、従って両者の間に作用する荷重が分散されるので、応力集中が起きず、軸部６ｂ及び、軸受部２２の破損を防止することができる。
【００３７】
また、プレート１２をサイドハウジング左１１にスナップ嵌め式に取り付けるスナップ嵌め部の一部を構成する、プレート１２に形成された係止片１２ｂと、サイドハウジング左１１に形成された穴１１ｄとによって、プレート１２は上方へのズレを生じない様にサイドハウジング左１１に取り付けられる構成となっているので、プリンタ１がハンドル６を介して持ち上げられた際に、軸受部２２のフランジ形状は穴１２ａ即ちプレート１２によってサポートされるので、軸受部２２に荷重が加わっても当該荷重の一部をプレート１２が担うこととなり、軸受部２２の強度がより一層向上して破損等の発生を防止することが可能となる。
尚、上記実施形態ではプレート１２をスナップ嵌め構造によって取り付けているが、これに限られずねじ止め構造他、種々の取付手段によって取り付けても上記作用効果を得ることが可能なのは言うまでもない。
【００３８】
ところで、サイドハウジング左１１の背面側には、図１５（Ａ）に示す様に外部機器と接続する為の雌コネクタ２４、２５を備えたインタフェース部２６が設けられている。例えば、図１５（Ｂ）に示す様にハンドル６が下方に下がった状態において雌コネクタ２５に雄コネクタ２７が挿入され、そしてこの状態でハンドル６を把持して上方に持ち上げられると、ハンドル６と雄コネクタ２７とが干渉してしまい、場合によっては雌コネクタ２５或いはその周囲の取付部を破損させてしまう虞がある。しかし、本実施形態においてはサイドハウジング左１１に、挿入された雄コネクタ２７の上部を覆う様な庇部１１ｈが形成されており、ハンドル６と雄コネクタ２７とが干渉した場合でも、雄コネクタ２７は庇部１１ｈによって上方への変位が規制される様になっている。従ってこれにより、雌コネクタ２４、２５或いはその周囲の取付部の破損が確実に防止される様になっている。
【符号の説明】
【００３９】
１  インクジェットプリンタ、２  給送装置、４  表示部、５  操作部、６  ハンドル、７  上部ハウジング、８  下部ハウジング、９  サイドハウジング右、１０  プレート、１１  サイドハウジング左、１２  プレート、１３  スタッカ、１４  カバー、１５  回動軸、１６  カードスロット、１７  ガイド孔、１８，１９  リブ、２０  ガイド板、２１，２２  軸受部、２３  取付ねじ、２４，２５  雌コネクタ、２６  インタフェース部。
【図１】
2010012792.tif 000003
【図２】
2010012792.tif 000004
【図３】
2010012792.tif 000005
【図４】
2010012792.tif 000006
【図５】
2010012792.tif 000007
【図６】
2010012792.tif 000008
【図７】
2010012792.tif 000009
【図８】
2010012792.tif 000010
【図９】
2010012792.tif 000011
【図１０】
2010012792.tif 000012
【図１１】
2010012792.tif 000013
【図１２】
2010012792.tif 000014
【図１３】
2010012792.tif 000015
【図１４】
2010012792.tif 000016
【図１５】
2010012792.tif 000017